(57)【要約】  換気装置１００は、本体１と、本体１内に設けられ、排気されることとなる空気を本体１内に取り込む排気用ファン９と、本体１内に設けられ、給気されることとなる空気を本体１内に取り込む給気用ファン８と、排気用ファン９から供給された空気と給気用ファン８から供給された空気とを熱交換させる熱交換器１１と、本体１の前面側に設けられ、熱交換器１１で熱交換された給気することとなる空気が吹き出される吹出口７を本体１の前面と自身の背面とで形成するパネル２と、吹出口７の本体水平方向のいずれかの端部に設けられ、吹出口７から吹き出される空気の水平方向への流れを抑制する風路閉鎖壁４０と、を有する。
2014115297.tif 000002
【特許請求の範囲】
【請求項１】
本体と、
前記本体内に設けられ、排気されることとなる空気を前記本体内に取り込む排気用ファンと、
前記本体内に設けられ、給気されることとなる空気を前記本体内に取り込む給気用ファンと、
前記排気用ファンから供給された空気と前記給気用ファンから供給された空気とを熱交換させる熱交換器と、
前記本体の前面側に配置されるパネルと、
前記本体の前面と前記パネルの背面とで形成され、前記熱交換器で熱交換された給気することとなる空気が吹き出されることとなる吹出口と、
前記パネルの下側に設けられ、前記吹出口から吹き出される空気の水平方向への流れを抑制する風路閉鎖壁と、を有する
ことを特徴とする換気装置。
【請求項２】
前記パネルの前面下側に回転可能に設けられ、前記吹出口から吹き出される空気の風向きを変える風向可変部品を有する
ことを特徴とする請求項１に記載の換気装置。
【請求項３】
前記風向可変部品は、
意匠面が平面状に形成され、
第１の位置にあるとき、前記本体の底面の延長上に前記風向可変部品の意匠面が位置するように設けられ、
前記第１の位置とは異なる第２の位置にあるとき、前記パネルの前面の延長上に前記風向可変部品の意匠面が位置するように設けられる
ことを特徴とする請求項２に記載の換気装置。
【請求項４】
前記風路閉鎖壁は、
前記風向可変部品が前記第２の位置にあるとき、前記風路閉鎖壁の前面と前記風向可変部品の背面とが接触し、水平方向に流れる空気の流路を塞ぎ、
前記風向可変部品が前記第１の位置にあるとき、前記風路閉鎖壁の底面と前記風向可変部品の背面とが接触し、水平方向に流れる空気の流路を塞ぐ
ことを特徴とする請求項３に記載の換気装置。
【請求項５】
前記風路閉鎖壁は、
前記吹出口の側面部と、
前記本体の側面部との２箇所に設けた
ことを特徴とする請求項１〜４のいずれか一項に記載の換気装置。
【発明の詳細な説明】
【技術分野】
【０００１】
本発明は、換気装置に関するものである。
【背景技術】
【０００２】
従来の換気装置には、本体内に熱交換器が搭載され、室内と室外とを連通するように本体が壁などに取り付けられる壁掛取付形の熱交換換気装置が提案されている（たとえば、特許文献１参照）。特許文献１に記載の換気装置は、室外から吸い込んだ空気を、室内から吸い込んだ空気と熱交換させた後に、室内吹出口から所定の方向に向かって吹き出すものである。
【先行技術文献】
【特許文献】
【０００３】
【特許文献１】特開平９−２７３７９３号公報（たとえば、図２参照）
【発明の概要】
【発明が解決しようとする課題】
【０００４】
特許文献１に記載の技術は、風向板などが設けられておらず、室内に機器を設置した時点で、換気装置の室内吹出口から吹き出される空気の方向が決定しており、その方向は、床面側（下側）および本体側面に平行な壁側（水平側）へ流れるようになっている。このため、本体側面に平行な壁側（水平側）へ流れる風向の先に壁がある場合には、吹き出される空気が当たり続け、室外から取り込まれた空気に含まれる塵埃などによって壁汚れの原因となる可能性があった。【０００５】
また、特許文献１に記載の技術は、壁汚れを低減するために、本体の取り付け時、本体側面と平行な壁から風が当たらないように所定の間隔（約０.０８３ｍ）以上に距離を設ける必要がある。このため、取り付け位置が制限され、施工自由度および意匠性が低減する可能性があった。【０００６】
本発明は、以上のような課題の少なくとも１つを解決するためになされたもので、ユーザーの快適性、及び意匠性が損なわれてしまうことを抑制することを実現する換気装置を提供することを目的としている。
【課題を解決するための手段】
【０００７】
本発明に係る換気装置は、本体と、前記本体内に設けられ、排気されることとなる空気を前記本体内に取り込む排気用ファンと、前記本体内に設けられ、給気されることとなる空気を前記本体内に取り込む給気用ファンと、前記排気用ファンから供給された空気と前記給気用ファンから供給された空気とを熱交換させる熱交換器と、前記本体の前面側に配置されるパネルと、前記本体の前面と前記パネルの背面とで形成され、前記熱交換器で熱交換された給気することとなる空気が吹き出されることとなる吹出口と、前記パネルの下側に設けられ、前記吹出口から吹き出される空気の水平方向への流れを抑制する風路閉鎖壁と、を有するものである。
【発明の効果】
【０００８】
本発明に係る換気装置によれば、吹出口から吹き出される本体側面に平行な空気の風向きを変える風路閉鎖壁を有するので、室外空気に含まれる塵埃が壁に当たり続けることで壁汚れとなることを回避でき、ユーザーの快適性及び意匠性が損なわれてしまうことを抑制することができる。
【図面の簡単な説明】
【０００９】
【図１】実施の形態１に係る換気装置の斜視図である。
【図２】図１に示す換気装置の点線Ｘにおける水平断面図である。
【図３】図１に示す換気装置の点線Ｙにおける縦断面図である。
【図４】（ａ）が図１に示すパネルを背面側から見た図であり、（ｂ）が図１に示す風向可変部品を背面側から見た図である。
【図５】図１に示す換気装置の風向可変部品を水平面と平行となるように動かした状態における斜視図である。
【図６】実施の形態１に係る換気装置の風向可変部品が第２の位置にあるときの状態を説明するための説明図である。
【図７】実施の形態１に係る換気装置の風向可変部品が第１の位置にあるときの状態を説明するための説明図である。
【図８】簡易室内空間に実施の形態１に係る換気装置を設置した状態を示すモデル図である。
【図９】実施の形態１に係る換気装置を概略的に示すモデル図である。
【図１０】図８及び図９に示すモデルにおける壁面風速分布の解析結果を示すグラフである。
【発明を実施するための形態】
【００１０】
以下、本発明の実施の形態を図面に基づいて説明する。
実施の形態１．
図１は、実施の形態１に係る換気装置１００の斜視図である。図２は、図１に示す換気装置１００の点線Ｘにおける水平断面図である。図３は、図１に示す換気装置１００の点線Ｙにおける縦断面図である。図４は、（ａ）が図１に示すパネル２を背面側から見た図であり、（ｂ）が図１に示す風向可変部品３を背面側から見た図である。なお、図１及び図２に図示された矢印は、空気の流れを表している。また、図１では、換気装置１００の下部を透視して示している。
【００１１】
本実施の形態１に係る換気装置１００は、ユーザーの快適性及び意匠性が損なわれてしまうことを抑制するために、風向板と給気吹出口に改良が加えられたものである。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
換気装置１００は、空調対象空間（たとえば、室内、ビル、倉庫など）の空気を取り込んで空調対象空間外に排出するとともに、空調対象空間外の空気を取り込んで空調対象空間に供給することができるものである。なお、以下の説明においては、空調対象空間が室内である場合を例に説明する。また、「室外空気」は換気装置１００から室内に供給される給気に対応し、「室内空気」は、換気装置１００から室外に排出される「排気」に対応する。
【００１３】
換気装置１００は、各種機器が搭載される本体１、本体１の前面側に設けられるパネル２と、本体１の前面側であってパネル２の下側に取り付けられる風向可変部品３と、本体１の背面側に接続される室外空気を取り込むための給気用パイプ１３と、本体１の背面側に接続される室内空気を放出するための排気用パイプ１４と、取り込んだ室外の空気と室内の空気とを熱交換させる熱交換器１１と、室外の空気を取り込む給気用ファン８と、室内の空気を取り込む排気用ファン９とを有している。
また、換気装置１００は、室内と室外とを連通し、給気用パイプ１３が設けられる開口部１３Ａが形成されるとともに、室内と室外とを連通し、排気用パイプ１４が設けられる開口部１４Ａが形成される壁５０に取り付けられる。
【００１４】
（本体１）
本体１は、略直方体形状で外郭を形成するものであり、室外空気を取り込むための給気用ファン８と、室内空気を取り込むための排気用ファン９と、本体１に導入した室外空気と室内空気とを熱交換させる熱交換器１１とが少なくとも搭載されているものである。
本体１の前面側には、換気装置１００の前面を構成するパネル２が設けられ、このパネル２の下側に風向可変部品３が設けられている。
本体１の背面側には、室外と本体１とを連通する給気用パイプ１３が接続されて設けられている。また、本体１の背面側には、正面視したときにおいて、給気用パイプ１３の左側となる位置に室外と本体１とを連通する排気用パイプ１４が接続されて設けられている。
【００１５】
本体１の前面側には室内空気を吸い込む吸込口１Ａ及び熱交換器１１で熱交換した空気を放出する本体吹出口１Ｅが形成されている。本体吹出口１Ｅ及び吸込口１Ａは、パネル２の背面側と対向位置に形成されている。なお、吸込口１Ａには、ベルマウス１Ｄが形成されており、室内から本体１内に吸い込まれる空気を整流して騒音発生を抑制し、ユーザーの快適性を損ねてしまうことを抑制することができるようになっている。
本体１の背面側には給気用パイプ１３に接続される給気口１Ｂ及び排気用パイプ１４に接続される排気口１Ｃが形成されている。
【００１６】
本体１には、本体１内に供給される室外空気と室内空気とが混合しないようにする仕切板３０が立設されている。仕切板３０の前面側が、本体１内に供給される室内空気が流れる風路を構成し、仕切板３０の背面側が、本体１内に供給される室外空気が流れる風路を構成している。仕切板３０は、正面視したときの左端部側が、熱交換器１１の右側面側に設けられている。
【００１７】
（パネル２）
パネル２は、本体１の前側に設けられ、換気装置１００の前面の一部を構成するものである。パネル２は、正面視したときの平面形状が略長方形形状をした平板部材である。パネル２は、壁５０に本体１が設置された状態において、鉛直方向に平行に設けられる。また、図４（ｂ）に示すように、パネル２の下端側に風向可変部品３を回転自在に保持する保持部７０が形成されている。
パネル２は、パネル２の背面側と本体１の前面側とによって吹出口７を形成している。すなわち、パネル２の背面と本体１の前面との間に「所定の間隔」が形成された状態で、風向可変部品３が保持部７０によって保持される。そして、吹出口７は「パネル２の背面の下端側」と「本体１の前面の下側」との間に形成されている（図６及び図７参照）。
【００１８】
ここで、たとえば本体１に風向可変部品３を取り付けるとすると、本体１、パネル２及び風向可変部品３のそれぞれの成形部品のバラツキにより、風向可変部品３の取付精度が決定される。すなわち、本体１、パネル２及び風向可変部品３の合計３つの部材の成形バラツキを有する分、風向可変部品３の取付精度が低減してしまう。
したがって、たとえば本体１に保持部７０に対応する部材が形成され、本体１が風向可変部品３を保持する構成としてもよいが、風向可変部品３の取付精度が低減してしまうので、本実施の形態１のようにパネル２に風向可変部品３を取り付ける方がよい。
【００１９】
このパネル２の背面側の上部には、本体１に接続される接続部２Ａが形成されている。この接続部２Ａによって、パネル２は本体１の前面側に保持されるようになっている。
接続部２Ａは、接続部２Ａと本体１との接続箇所を軸として回転可能となっている。すなわち、接続部２Ａが回転することでパネル２が上側に持ち上がり、本体１の前面側や排気用ファン９などが露出して、たとえば清掃などが可能となっている。
【００２０】
（風向可変部品３）
風向可変部品３は、吹出口７から吹き出される空気の方向を変化させることが可能なものである。風向可変部品３は、本体１の前面側であってパネル２の下側に回転可能に設けられている。風向可変部品３は、正面視したときの平面形状が、たとえば略長方形形状をした平板部材である。
図４（ｂ）に示すように、風向可変部品３の背面側には、本体１を正面視したときの幅方向に４つ、風向可変部品３と本体１とを接続する回転軸部３Ａが形成されている。風向可変部品３は、この回転軸部３Ａによって、本体１の前面側に回転自在に保持されるようになっている。風向可変部品３については、後述の図５〜図７の説明で詳しく説明する。
【００２１】
（給気用パイプ１３及び排気用パイプ１４）
給気用パイプ１３は、壁５０の開口部１３Ａに設けられ、本体１と室外とを接続するものである。給気用パイプ１３は、一端側が本体１の給気口１Ｂに接続され、他端側が室外側に設けられている。なお、給気用パイプ１３の他端側には、給気用フード１２が設けられており、たとえば風雨などが強い状況においても、給気用パイプ１３の他端側から室内側に風雨が侵入してしまうことを抑制している。
排気用パイプ１４は、壁５０の開口部１４Ａに設けられ、本体１と室外とを接続するものである。排気用パイプ１４は、一端側が本体１の排気口１Ｃに接続され、他端側が室外側に設けられている。なお、排気用パイプ１４の他端側においても、給気用パイプ１３の他端側と同様に、排気用フード１５が設けられており、たとえば風雨などが強い状況においても、排気用パイプ１４の他端側から室内側に風雨が侵入してしまうことを抑制している。
【００２２】
給気用フード１２は、壁５０のうち、室外側の面に取り付けられるものであり、たとえば風雨などが強い状況においても、給気用パイプ１３の他端側から室内側に風雨が侵入してしまうことを抑制するものである。給気用フード１２のうち、壁５０に取り付けられた側は、給気用パイプ１３と連通している。
排気用フード１５は、壁５０のうち、室外側の面に取り付けられるものであり、たとえば風雨などが強い状況においても、排気用パイプ１４の他端側から室内側に風雨が侵入してしまうことを抑制するものである。排気用フード１５のうち、壁５０に取り付けられた側は、排気用パイプ１４と連通している。
【００２３】
（熱交換器１１）
熱交換器１１は、本体１に導入した室外空気と、室内空気とを熱交換させるものである。すなわち、熱交換器１１は、排気の熱量を給気で回収する機能を有しているものである。なお、熱交換器１１は、熱交換器１１に流入した室外空気と、室内空気とは混合しないように構成されている。すなわち、熱交換器１１は、熱交換器１１に流入した室外空気が流れる給気流路と、室内空気が流れる排気流路とが熱交換可能なように接触して設けられるとともに、給気流路と排気流路とが隔離されて構成されている。熱交換器１１は、正面視したときに、図２に示すように給気用ファン８及び排気用ファン９の左側に配置されている。
【００２４】
熱交換器１１には、室外空気が流入する流入口１１Ａと、この流入口１１Ａから流入して熱交換した空気が放出される流出口１１Ｂが形成されている。また、熱交換器１１には、室内空気が流入する流入口１１Ｃと、この流入口１１Ｃから流入して熱交換した空気が放出される流出口１１Ｄが形成されている。
なお、流入口１１Ａには、給気用ファン８から供給される室外空気が供給される。また、流出口１１Ｂから吹き出される空気は、本体吹出口１Ｅを介して本体１から放出される。
また、流入口１１Ｃには、排気用ファン９から供給される室内空気が供給される。また、流出口１１Ｄから吹き出される空気は、排気口１Ｃを介して本体１から放出される。
【００２５】
（給気用ファン８及び排気用ファン９）
給気用ファン８は、回転するファン８Ａ、ファン８Ａを回転させるモーター１０により構成され、モーター１０の回転をシャフト１０Ａによりファン８Ａに伝えて回転し、本体１に室外空気を取り込み、放出するものである。
排気用ファン９は、回転するファン９Ａ、ファン９Ａを回転させるモーター１０により構成され、モーター１０の回転をシャフト１０Ｂによりファン９Ａに伝えて回転し、本体１に室内空気を取り込み、放出するものである。
【００２６】
ファン８Ａ、９Ａは、たとえばシロッコファンなどで構成されるものであり、シャフト１０Ａ、１０Ｂに接続されるものである。
シャフト１０Ａ、１０Ｂは、ファン８Ａ、９Ａに接続され、モーター１０の回転をファン８Ａ、９Ａに伝達させて回転させるものである。
モーター１０は、図２及び図３に示すように、給気が流れる風路側にシャフト１０Ａが設けられ、排気が流れる風路側にシャフト１０Ｂが設けられている。そして、モーター１０は、仕切板３０を境にして、給気が流れる風路側と排気が流れる風路側に跨がって設けられている。
【００２７】
（風路閉鎖壁４０）
風路閉鎖壁４０は、換気装置垂直面吹出口４１もしくは換気装置水平面吹出口４２から本体側面側水平方向へ吹き出される空気を低減することが可能なものである。風路閉鎖壁４０は、本体１の前面側であってパネル２の下側の換気装置垂直面吹出口４１の側面部に設置されている。風路閉鎖壁４０については、後述の図５〜図７の説明で詳しく説明する。
【００２８】
なお、換気装置垂直面吹出口４１は、風向可変部品３が換気装置水平方向に平行な状態となる位置（第１の位置）にある場合に、換気装置１００の正面方向に向けて形成されるものである。つまり、換気装置垂直面吹出口４１は、吹出口７から吹き出される空気を換気装置１００の正面側に吹き出すように形成されている。
換気装置水平面吹出口４２は、風向可変部品３が換気装置垂直方向に平行な状態となる位置（第２の位置）にある場合に、換気装置１００の下面方向に向けて形成されるものである。つまり、換気装置水平面吹出口４２は、吹出口７から吹き出される空気を換気装置１００の下面側に吹き出すように形成されている。
【００２９】
図５は、図１に示す換気装置１００の風向可変部品３を水平面と略平行となるように動かした状態における斜視図である。図６は、風向可変部品３が第２の位置にあるときの状態を説明するための説明図である。図７は、風向可変部品３が第１の位置にあるときの状態を説明するための説明図である。なお、図５〜図７に示す矢印は空気の流れを表している。図５〜図７を参照して風向可変部品３について詳しく説明する。
【００３０】
図６では、（ａ）が換気装置１００の風向可変部品３が第２の位置にあるときの側面図を、（ｂ）が換気装置１００の風向可変部品３が第２の位置にあるときの正面図を、（ｃ）が図１に示す換気装置１００の風向可変部品３が第２の位置にあるときの点線Ｖにおける縦断面図を、（ｄ）が図６（ｃ）に示す点線Ｚにおける水平断面図を、それぞれ示している。
図７では、（ａ）が換気装置１００の風向可変部品３が第１の位置にあるときの側面図を、（ｂ）が換気装置１００の風向可変部品３が第１の位置にあるときの正面図を、（ｃ）が図５に示す換気装置１００の風向可変部品３が第１の位置にあるときの点線Ｗにおける縦断面図を、それぞれ示している。
【００３１】
風向可変部品３は、本体１の前面側であってパネル２の下側に回転可能に設けられ、吹出口７から吹き出される空気の方向を変化させることが可能となっているものである。風向可変部品３は、正面視したときの平面形状が略長方形形状をした板状部材である。
この風向可変部品３の背面側には、断熱材３１が設けられている。この断熱材３１により、風向可変部品３に結露などが発生することを抑制することができ、室内などに結露水が滴下してユーザーの快適性を損ねてしまうことを抑制できる。
【００３２】
風向可変部品３には、本体１を正面視したときの幅方向に４つ、風向可変部品３と本体１とを接続する回転軸部３Ａが形成されている。風向可変部品３の回転軸部３Ａは、パネル２の保持部７０によって回転自在に保持される。回転軸部３Ａは、風向可変部品３の背面側に突出して設けられている。そして、この回転軸部３Ａは、水平面に対して平行な回転軸を有しており、回転可能となっている。
【００３３】
風向可変部品３は、回転することで次に述べる２つの位置に移動することが可能となっている。すなわち、風向可変部品３は、鉛直方向に平行な状態となる位置（第２の位置）に移動することが可能である（図１及び図６参照）。また、風向可変部品３は、水平方向に平行な状態となる位置（第１の位置）に移動することが可能である（図５及び図７参照）。
風向可変部品３が鉛直方向に平行な状態となる位置に移動した場合には、回転軸部３Ａに対して風向可変部品３が正面側に位置する。そして、風向可変部品３が鉛直方向に平行な状態となる位置に移動した場合には、吹出口７から吹き出される空気が、図６に示すように下側に向かって室内に放出される。
風向可変部品３が水平方向に平行な状態となる位置に移動した場合には、回転軸部３Ａに対して風向可変部品３が下側に位置する。風向可変部品３が水平方向に平行な状態となる位置に移動した場合には、吹出口７から吹き出される空気が、図７に示すように正面側に向かって室内に放出される。
【００３４】
ここで、風向可変部品３が鉛直方向に平行な状態となる位置に設けられた状態において、正面側の面を意匠面１８と定義する。
風向可変部品３が鉛直方向に平行な状態の場合には、意匠面１８はパネル２の前面側と平行となるとともに、風向可変部品３の一方の端部がパネル２の下端に接触する（図１及び図６参照）。すなわち、パネル２の前面と風向可変部品３の意匠面１８とが略同一平面上に位置することとなり、換気装置１００の意匠性を向上させることができるようになっている。
なお、パネル２の前面と風向可変部品３の意匠面１８とが略同一平面上でなく、たとえば、パネル２の前面よりも風向可変部品３の意匠面１８の方が前側或いは後側に位置していてもよい。このように、パネル２と風向可変部品３を縦断面視した際に、パネル２と風向可変部品３とが段違いとなっていても、「パネル２の延長上」に風向可変部品３の意匠面１８が位置することとなり、換気装置１００の意匠性を向上させることができる。
この「パネル２の延長上」には、「パネル２の前面よりも風向可変部品３の意匠面１８の方が、前側或いは後側に位置している」ことを含んでいる。
また、風向可変部品３の一方の端部をパネル２の下端に接触させず、風向可変部品３の一方の端部がパネル２の下端に所定の間隙を介して位置してもよい。
【００３５】
風向可変部品３が水平方向に平行な状態の場合には、意匠面１８は本体１の底面と平行となるとともに、風向可変部品３の他方の端部が本体１の底面に接触する（図５及び図７参照）。すなわち、本体１の底面と風向可変部品３の意匠面１８とが略同一平面上に位置することとなり、換気装置１００の意匠性を向上させることができるようになっている。
なお、本体１の底面と風向可変部品３の意匠面１８とが略同一平面上でなく、たとえば、本体１の底面よりも風向可変部品３の意匠面１８の方が上側或いは下側に位置していてもよい。このように、本体１と風向可変部品３を縦断面視した際に、本体１と風向可変部品３とが段違いとなっていても、「本体１の底面の延長上」に風向可変部品３の意匠面１８が位置することとなり、換気装置１００の意匠性を向上させることができる。
この「本体１の底面の延長上」には、「本体１の底面よりも風向可変部品３の意匠面１８の方が、上側或いは下側に位置している」ことを含んでいる。
また、風向可変部品３の他方の端部を本体１の底面に接触させず、風向可変部品３の他方の端部がパネル２の下端に所定の間隙を介して位置してもよい。
【００３６】
なお、本実施の形態１では、本体１を正面視したとき、風向可変部品３の幅方向に「４つ」の回転軸部３Ａが設けられた例を説明しているが、「４つ」に限定されるものではない。そして、この回転軸部３Ａの数と同じ数だけ、保持部７０をパネル２に形成すればよい。
また、回転軸部３Ａは、ユーザーなどによって手動での回転させられるように構成してもよいし、たとえば駆動モーターなどによって電動で回転させられるように構成してもよい。
【００３７】
（風路閉鎖壁４０の詳細）
風路閉鎖壁４０は、吹出口７から吹き出される空気の方向を換気装置垂直面吹出口４１または換気装置水平面吹出口４２に変化させることが可能なものである。
風路閉鎖壁４０は、本体１の前面側であってパネル２の下側の換気装置垂直面吹出口４１の側面部から所定の間隔（例えば１ｍｍ〜２０ｍｍ程度）を持たせた、もしくは、換気装置１００の側面部から所定の間隔（例えば１ｍｍ〜２０ｍｍ程度）持たせた壁である。
【００３８】
風向可変部品３が換気装置水平方向に平行な状態となる位置（第１の位置）にある場合、風向可変部品３の背面と風路閉鎖壁４０の底面平面部とが接触し、換気装置１００の水平方向左側または右側に風路閉鎖壁４０による壁を形成して水平方向に流れる空気の流路を塞ぎ、底面部に風向可変部品３による壁を形成し、換気装置垂直面吹出口４１を形成する（図５及び７参照）。
【００３９】
風向可変部品３が換気装置垂直方向に平行な状態となる位置（第２の位置）にある場合、風向可変部品３の背面と風路閉鎖壁４０の前面とが接触し、換気装置１００の水平方向左側または右側に風路閉鎖壁４０による壁を形成して水平方向に流れる空気の流路を塞ぎ、正面側に風向可変部品３による壁を形成し、換気装置水平面吹出口４２を形成する（図１及び図６参照）。
【００４０】
なお、本実施の形態１では、風路閉鎖壁４０として、本体１の前面側であってパネル２の下側の換気装置垂直面吹出口４１の側面部から所定の間隔を持たせた、もしくは、換気装置１００の側面部から所定の間隔を持たせた壁の例を説明しているが、風路閉鎖壁４０は換気装置垂直面吹出口４１の側面部と換気装置１００の側面部の両方にあってもよい。また、風路閉鎖壁４０を着脱自在に固定してもよいし、着脱自在でなくてもよい。さらに、本実施の形態１では、風路閉鎖壁４０を紙面左側に設置した状態を例に示しているが、紙面右側に設置してもよい。加えて、風路閉鎖壁４０の大きさ、厚さ、形状、構成材料などを特に限定するものではなく、換気装置１００の水平方向左側または右側に壁を形成できる構成であればよい。
【００４１】
［空気の流れの説明］
室外空気は、給気用フード１２から給気用パイプ１３を介して本体１内に取り込まれる。この本体１内に取り込まれた空気は、給気用ファン８を通って熱交換器１１に流入する。そして、この熱交換器１１に流入した空気は、熱交換器１１に流入した室内空気と熱交換した後に、熱交換器１１から放出される。そして、熱交換器１１から放出された空気は、本体吹出口１Ｅを介して吹出口７から吹き出された後に、風向可変部品３の作用によって鉛直方向或いは水平方向に風向が調整されて換気装置１００から放出される。この時、鉛直方向或いは水平方向に風向が調整され放出された空気は、風路閉鎖壁４０の作用により、本体１の側面側水平側方向への風向きを低減した状態で換気装置１００から放出される。
【００４２】
室内空気は、吸込口１Ａから本体１内に取り込まれる。この本体１内に取り込まれた室内空気は、排気用ファン９を通って熱交換器１１に流入する。この熱交換器１１に流入した空気は、熱交換器１１に流入した室外空気と熱交換した後に、熱交換器１１から放出される。そして、熱交換器１１から放出された空気は、排気用パイプ１４及び排気用フード１５を介して室外に放出される。
【００４３】
［実施の形態１に係る換気装置１００の有する効果］
実施の形態１に係る換気装置１００は、本体１から放出される空気が鉛直下方に吹き出されるか、水平方向に吹き出されるかを調整することが可能な風向可変部品３が設けられているので、ユーザーの快適性が損なわれてしまうことを抑制することができる。また、たとえばタンスなどのようにユーザー以外の物に空気が当たり続けることで、給気に含まれる塵埃などが付着し、タンスなどが汚れてしまうことを抑制することができる。さらに、室内の気流分布が乱れて室内の一部に汚染空気が淀んでしまったりすることを抑制することができる。
【００４４】
実施の形態１に係る換気装置１００は、風向可変部品３が空気を水平方向に吹き出されるように調整することが可能であるため、コールドドラフトによってユーザーの足下が冷えてしまうということを抑制することができる。
【００４５】
実施の形態１に係る換気装置１００は、パネル２ではなく、風向可変部品３によって吹き出される風向を調整するため、室外から取り込まれた空気に含まれる塵埃などがパネル２に付着してしまうことが抑制され、意匠性が低減してしまうことを抑制することができる。
【００４６】
実施の形態１に係る換気装置１００は、本体１から水平方向に吹き出される空気を抑制することが可能な風路閉鎖壁４０が設けられているので、家の壁に空気が当たり続けることで、給気に含まれる塵埃などが付着し、壁などが汚れてしまうことを抑制することができる。
【００４７】
図８は、簡易室内空間に換気装置１００を設置した状態を示すモデル図である。図９は、換気装置１００を概略的に示すモデル図である。図１０は、図８及び図９に示すモデルにおける壁面風速分布の解析結果を示すグラフである。図８〜図１０に基づいて、換気装置１００を設置した室内における壁面の風速分布について説明する。なお、図１０では、横軸が吹出口（換気装置垂直面吹出口４１または換気装置水平面吹出口４２）からの距離（ｍ）を、縦軸が風速（ｍ／ｓ）を、それぞれ示している。
【００４８】
図１０では、換気装置１００を、図８に示すように室内天井面から０．１ｍ、壁面から距離Ｄ（０．０２ｍ、０．０４ｍ、０．０６ｍ、０．０８ｍ、０．１ｍ、０．２ｍ、０．４ｍ、０．６ｍ、０．８ｍ、１．０ｍ）を置いた状態で設置し、風量１００ｍ３／ｈを換気装置垂直面吹出口４１または換気装置水平面吹出口４２から吹き出した場合の壁面の風速分布を解析した結果を示している。
【００４９】
吹出流が壁あるいは天井に接触すると埃などの付着により汚れの原因となりうる。また、接触する際の風速は小さい方が汚れは付着しにくいと考えられる。そこで、風速０．８ｍ／ｓを基準とすると、図１０に示す解析結果より、換気装置１００を壁面より０．０４ｍ（Ｄ寸法）以上離すことで、壁汚れの原因を低減することが可能となり、さらに施工自由度をあげることができることがわかった。以上を考慮して、換気装置１００の設置位置を決定するとよい。なお、図８及び図９に示す数値及び寸法は換気装置１００による風速分布を分かり安く説明するための一例であり、これらの数値及び寸法に限定されるものではない。
【００５０】
実施の形態１に係る換気装置１００は、本体１から放出される水平方向に吹き出される空気を抑制することが可能な風路閉鎖壁４０設けられているので、上記の効果に加え、換気装置１００を側面側から見た場合に、換気装置１００の複雑な内臓物の目隠しとなり、意匠性が向上することになる。
【符号の説明】
【００５１】
１  本体、１Ａ  吸込口、１Ｂ  給気口、１Ｃ  排気口、１Ｄ  ベルマウス、１Ｅ  本体吹出口、２  パネル、２Ａ  接続部、３  風向可変部品、３Ａ  回転軸部、７  吹出口、８  給気用ファン、８Ａ  ファン、９  排気用ファン、９Ａ  ファン、１０  モーター、１０Ａ  シャフト、１０Ｂ  シャフト、１１  熱交換器、１１Ａ  流入口、１１Ｂ  流出口、１１Ｃ  流入口、１１Ｄ  流出口、１２  給気用フード、１３  給気用パイプ、１３Ａ  開口部、１４  排気用パイプ、１４Ａ  開口部、１５  排気用フード、１８  意匠面、３０  仕切板、３１  断熱材、４０  風路閉鎖壁、４１  換気装置垂直面吹出口、４２  換気装置水平面吹出口、５０  壁、７０  保持部、１００  換気装置。
【図１】
2014115297.tif 000003
【図２】
2014115297.tif 000004
【図３】
2014115297.tif 000005
【図４】
2014115297.tif 000006
【図５】
2014115297.tif 000007
【図６】
2014115297.tif 000008
【図７】
2014115297.tif 000009
【図８】
2014115297.tif 000010
【図９】
2014115297.tif 000011
【図１０】
2014115297.tif 000012
【手続補正書】
【提出日】平成27年5月26日(2015.5.26)
【手続補正１】
【補正対象書類名】明細書
【補正対象項目名】０００７
【補正方法】変更
【補正の内容】
【０００７】
本発明に係る換気装置は、本体と、前記本体内に設けられ、排気されることとなる空気を前記本体内に取り込む排気用ファンと、前記本体内に設けられ、給気されることとなる空気を前記本体内に取り込む給気用ファンと、前記排気用ファンから供給された空気と前記給気用ファンから供給された空気とを熱交換させる熱交換器と、前記本体の前面側に配置されるパネルと、前記本体の前面と前記パネルの背面とで形成され、前記熱交換器で熱交換された給気することとなる空気が吹き出されることとなる吹出口と、前記吹出口から吹き出される空気の水平方向への流れを抑制する風路閉鎖壁と、を有するものである。
【手続補正２】
【補正対象書類名】特許請求の範囲
【補正対象項目名】全文
【補正方法】変更
【補正の内容】
【特許請求の範囲】
【請求項１】
本体と、
前記本体内に設けられ、排気されることとなる空気を前記本体内に取り込む排気用ファンと、
前記本体内に設けられ、給気されることとなる空気を前記本体内に取り込む給気用ファンと、
前記排気用ファンから供給された空気と前記給気用ファンから供給された空気とを熱交換させる熱交換器と、
前記本体の前面側に配置されるパネルと、
前記本体の前面と前記パネルの背面とで形成され、前記熱交換器で熱交換された給気することとなる空気が吹き出されることとなる吹出口と、
前記吹出口から吹き出される空気の水平方向への流れを抑制する風路閉鎖壁と、を有する
ことを特徴とする換気装置。
【請求項２】
前記吹出口から吹き出される空気の風向きを変える風向可変部品を有する
ことを特徴とする請求項１に記載の換気装置。
【請求項３】
前記風向可変部品は、
意匠面が平面状に形成され、
第１の位置にあるとき、前記本体の底面の延長上に前記風向可変部品の意匠面が位置するように設けられ、
前記第１の位置とは異なる第２の位置にあるとき、前記パネルの前面の延長上に前記風向可変部品の意匠面が位置するように設けられる
ことを特徴とする請求項２に記載の換気装置。
【請求項４】
前記風路閉鎖壁は、
前記風向可変部品が前記第２の位置にあるとき、前記風路閉鎖壁の前面と前記風向可変部品の背面とが接触し、水平方向に流れる空気の流路を塞ぎ、
前記風向可変部品が前記第１の位置にあるとき、前記風路閉鎖壁の底面と前記風向可変部品の背面とが接触し、水平方向に流れる空気の流路を塞ぐ
ことを特徴とする請求項３に記載の換気装置。
【請求項５】
前記風路閉鎖壁は、
前記吹出口の側面部と、
前記本体の側面部との２箇所に設けた
ことを特徴とする請求項１〜４のいずれか一項に記載の換気装置。
【手続補正書】
【提出日】平成28年1月5日(2016.1.5)
【手続補正１】
【補正対象書類名】明細書
【補正対象項目名】０００７
【補正方法】変更
【補正の内容】
【０００７】
本発明に係る換気装置は、前面に本体吹出口と吸込口が設けられた本体と、前記本体内に設けられた排気用ファンと、前記本体内に設けられた給気用ファンと、前記排気用ファンにより供給された空気と前記給気用ファンにより供給された空気とを熱交換させる熱交換器と、前記本体の前記本体吹出口の前方に配置されるパネルと、前記本体と前記パネルの間に設けられ、前記本体吹出口から吹き出される空気の水平方向への流れを抑制する風路閉鎖壁と、前記パネルの下側に設けられ、第１の位置と、当該第１の位置とは異なる位置である第２の位置との間で回転移動することで前記本体吹出口から吹き出される空気の向きを変える風向可変部品と、を有するものである。
【手続補正２】
【補正対象書類名】特許請求の範囲
【補正対象項目名】全文
【補正方法】変更
【補正の内容】
【特許請求の範囲】
【請求項１】
前面に本体吹出口と吸込口が設けられた本体と、
前記本体内に設けられた排気用ファンと、
前記本体内に設けられた給気用ファンと、
前記排気用ファンにより供給された空気と前記給気用ファンにより供給された空気とを熱交換させる熱交換器と、
前記本体の前記本体吹出口の前方に配置されるパネルと、
前記本体と前記パネルの間に設けられ、前記本体吹出口から吹き出される空気の水平方向への流れを抑制する風路閉鎖壁と、
前記パネルの下側に設けられ、第１の位置と、当該第１の位置とは異なる位置である第２の位置との間で回転移動することで前記本体吹出口から吹き出される空気の向きを変える風向可変部品と、を有する
換気装置。
【請求項２】
前記風路閉鎖壁は、
前記風向可変部品が前記第１の位置にあるとき、前記風路閉鎖壁の底面と前記風向可変部品とが接触し、水平方向に流れる空気の流路を塞ぎ、
前記風向可変部品が前記第２の位置にあるとき、前記風路閉鎖壁の前面と前記風向可変部品とが接触し、水平方向に流れる空気の流路を塞ぐ
請求項１に記載の換気装置。
【請求項３】
前記風向可変部品は、
意匠面が平面状に形成され、
前記第１の位置にあるとき、前記本体の底面の延長上に前記風向可変部品の意匠面が位置するように設けられ、
前記第２の位置にあるとき、前記パネルの前面の延長上に前記風向可変部品の意匠面が位置するように設けられる
請求項１又は２に記載の換気装置。
【請求項４】
前記風路閉鎖壁は、
前記本体と前記パネルとにより形成される吹出口の側面部と、
前記本体の側面部との２箇所に設けられる
請求項１〜３のいずれか一項に記載の換気装置。
【手続補正書】
【提出日】平成28年8月8日(2016.8.8)
【手続補正１】
【補正対象書類名】明細書
【補正対象項目名】０００７
【補正方法】変更
【補正の内容】
【０００７】
本発明に係る換気装置は、前面に本体吹出口と吸込口が設けられた本体と、前記本体内に設けられた排気用ファンと、前記本体内に設けられた給気用ファンと、前記排気用ファンにより供給された空気と前記給気用ファンにより供給された空気とを熱交換させる熱交換器と、前記本体の前記本体吹出口及び前記吸込口の前方に配置され、前記吸込口から取り込まれる空気及び前記本体吹出口から吹き出される空気を前記本体の前面側周囲で流通させるパネルと、前記本体と前記パネルの間に設けられ、前記本体吹出口から吹き出される空気の水平方向への流れを抑制する風路閉鎖壁と、前記パネルの下側に設けられ、第１の位置と、当該第１の位置とは異なる位置である第２の位置との間で回転移動することで前記本体吹出口から吹き出される空気の向きを変える風向可変部品と、を有するものである。
【手続補正２】
【補正対象書類名】特許請求の範囲
【補正対象項目名】全文
【補正方法】変更
【補正の内容】
【特許請求の範囲】
【請求項１】
前面に本体吹出口と吸込口が設けられた本体と、
前記本体内に設けられた排気用ファンと、
前記本体内に設けられた給気用ファンと、
前記排気用ファンにより供給された空気と前記給気用ファンにより供給された空気とを熱交換させる熱交換器と、
前記本体の前記本体吹出口及び前記吸込口の前方に配置され、前記吸込口から取り込まれる空気及び前記本体吹出口から吹き出される空気を前記本体の前面側周囲で流通させるパネルと、
前記本体と前記パネルの間に設けられ、前記本体吹出口から吹き出される空気の水平方向への流れを抑制する風路閉鎖壁と、
前記パネルの下側に設けられ、第１の位置と、当該第１の位置とは異なる位置である第２の位置との間で回転移動することで前記本体吹出口から吹き出される空気の向きを変える風向可変部品と、を有する
換気装置。
【請求項２】
前記風路閉鎖壁は、
前記風向可変部品が前記第１の位置にあるとき、前記風路閉鎖壁の底面と前記風向可変部品とが接触し、水平方向に流れる空気の流路を塞ぎ、
前記風向可変部品が前記第２の位置にあるとき、前記風路閉鎖壁の前面と前記風向可変部品とが接触し、水平方向に流れる空気の流路を塞ぐ
請求項１に記載の換気装置。
【請求項３】
前記風向可変部品は、
意匠面が平面状に形成され、
前記第１の位置にあるとき、前記本体の底面の延長上に前記風向可変部品の意匠面が位置するように設けられ、
前記第２の位置にあるとき、前記パネルの前面の延長上に前記風向可変部品の意匠面が位置するように設けられる
請求項１又は２に記載の換気装置。
【請求項４】
前記風路閉鎖壁は、
前記本体と前記パネルとにより形成される吹出口の側面部と、
前記本体の側面部との２箇所に設けられる
請求項１〜３のいずれか一項に記載の換気装置。
【国際調査報告】
2014115297.tif 000013
2014115297.tif 000014
2014115297.tif 000015
2014115297.tif 000016